(57)【要約】【課題】簡素な構成でありながら、壁面等の設置部に対して着脱が容易な照明装置を提供する。【解決手段】照明装置（１０）を壁面等に取付けるための壁掛け金具（６）が、筐体（１）の背面（１ｂ）から突出した胴部（６ａ）と、胴部（６ａ）の先端部に形成された胴部（６ｂ）を有する。頭部（６ｂ）における筐体（１）の背面（１ｂ）と平行な方向の断面積は、胴部（６ａ）における同方向の断面積よりも大きくなっており、頭部（６ｂ）が壁面の壁側取付金具に係止される。【選択図】図２
2014063571.tif 000002
【特許請求の範囲】
【請求項１】
光源と、
光源から出射された光が入射し、入射した光を内部に導光させて出射する導光板と、
上記導光板を保持するための筐体とを備えた照明装置であって、
上記筐体の背面に、上記照明装置を外部の設置部に取付けるための取付部材が設けられており、
上記取付部材は、上記筐体の背面から突出した胴部と、上記胴部の先端部に形成され、上記設置部に係止される頭部とを有し、
上記頭部における上記筐体の背面と平行な方向の断面積が、上記胴部における同方向の断面積よりも大きいことを特徴とする照明装置。
【請求項２】
上記取付部材を上記筐体の前面から背面に貫通し、上記取付部材を上記筐体の背面に固定する固定部材と、
上記筐体の前面における上記固定部材の周囲に設けられたスペーサとを備え、
上記スペーサの厚さは、上記筐体の前面側における固定部材の厚さよりも大きいことを特徴とする請求項１に記載の照明装置。
【請求項３】
上記取付部材を上記筐体の前面から背面に貫通し、上記取付部材を上記筐体の背面に固定する固定部材を備え、
上記筐体の前面に、上記筐体の背面側に凹んだ凹部が形成されており、
上記固定部材は、上記凹部内に設けられ、筐体を貫通していることを特徴とする請求項１に記載の照明装置。
【請求項４】
上記取付部材が、同心円形状であることを特徴とする請求項１〜３のいずれか１項に記載の照明装置。
【請求項５】
上記取付部材が、互いに直交する２つの方向に格子状に配置されており、
上記２つの方向における、取付部材の間隔が同一であることを特徴とする請求項１〜４のいずれか１項に記載の照明装置。
【請求項６】
上記光源が、上記筐体に保持されており、
上記取付部材の頭部表面から導光板の出射面までの距離が、上記光源が保持された部分の筐体の厚さ以下であることを特徴とする請求項１〜５のいずれか１項に記載の照明装置。
【請求項７】
請求項１〜６のいずれか１項に記載の照明装置と、上記照明装置の光出射側に配置された表示部とを備えることを特徴とする表示装置。
【発明の詳細な説明】
【技術分野】
【０００１】
本発明は、照明装置およびそれを備えた表示装置に関し、特に壁掛け用途に好適な照明装置およびそれを備えた表示装置に関する。
【背景技術】
【０００２】
特許文献１には、壁掛け型表示装置として壁掛け型のテレビが開示されている。図１２および図１３は、いずれも特許文献１に記載の壁掛け型表示装置の断面図である。図１２および図１３の壁掛け型表示装置は、リアキャビネット１１５の背面に壁掛け金具１２０を備えている。また、図１２に示すシャーシブラケット１３０および図１３に示す補強フレーム１４０は、リアキャビネット１１５の変形を防止する補強部材として機能する縦長フレームＦに相当している。
【０００３】
図１２および図１３に示す壁掛け型表示装置では、壁掛け金具１２０がリアキャビネット１１５に固着されている。すなわち、図１２に示すように、リアキャビネット１１５の内面に重ね合わされたシャーシブラケット１３０と、リアキャビネット１１５の外面側に配備された壁掛け金具１２０との間に、リアキャビネット１１５が挟み込まれている。この状態で、壁掛け金具１２０とリアキャビネット１１５とのそれぞれの複数箇所に開設されているねじ挿通孔（不図示）に取付ねじ２００を挿通させ、それらの取付ねじ２００をシャーシブラケット１３０のねじ孔（不図示）にねじ込んで締め付けられている。
【０００４】
同様に、図１３に示すように、リアキャビネット１１５が、補強フレーム１４０と壁掛け金具１２０との間に挟み込まれている。この状態で、壁掛け金具１２０とリアキャビネット１１５とのそれぞれの複数箇所に開設されているねじ挿通孔（不図示）に取付ねじ２００を挿通させ、それらの取付ねじ２００を補強フレーム１４０のねじ孔（不図示）にねじ込んで締め付けられている。
【先行技術文献】
【特許文献】
【０００５】
【特許文献１】特開２００９-２６５２０４号公報（２００９年１１月１２日公開）
【発明の概要】
【発明が解決しようとする課題】
【０００６】
しかしながら、上述したような特許文献１に記載の壁掛け型表示装置は、リアキャビネット１１５の背面に壁掛け金具１２０を取付けるための構成が、著しく複雑な構成になるという問題がある。このため、コスト高を招来する。
【０００７】
また、特許文献１に記載の壁掛け型表示装置は、壁掛けテレビを意図しているため、壁掛けテレビを壁面に取付けた後に、取り外すことは極めて少ない。つまり、特許文献１では、壁掛け型表示装置を着脱することは意図されていない。
【０００８】
本発明は、上記従来の課題に鑑みてなされたものであり、その目的は、簡素な構成でありながら、壁面等の設置部に対して着脱が容易な照明装置およびそれを備えた表示装置を提供することにある。
【課題を解決するための手段】
【０００９】
上記の課題を解決するために、本発明の一態様に係る照明装置は、光源と、光源から出射された光が入射し、入射した光を内部に導光させて出射する導光板と、上記導光板を保持するための筐体とを備えた照明装置であって、上記筐体の背面に、上記照明装置を外部の設置部に取付けるための取付部材が設けられており、上記取付部材は、上記筐体の背面から突出した胴部と、上記胴部の先端部に形成され、上記設置部に係止される頭部とを有し、上記頭部における上記筐体の背面と平行な方向の断面積が、上記胴部における同方向の断面積よりも大きいことを特徴としている。
【００１０】
また、上記の課題を解決するために、本発明の一態様に係る表示装置は、上記照明装置と、上記照明装置の光出射側に配置された表示部とを備えることを特徴としている。
【発明の効果】
【００１１】
本発明の一態様によれば、簡素な構成でありながら、壁面等の設置部に対して着脱が容易な照明装置および表示装置を提供することができるという効果を奏する。
【図面の簡単な説明】
【００１２】
【図１】本発明の実施の形態１に係る照明装置を示す分解斜視図である。
【図２】図１の照明装置の要部構成を示す断面図である。
【図３】図１の照明装置を壁面に設置する方法を示す斜視図である。
【図４】図１の照明装置において、光源ユニットの設置部分と、壁掛け金具の設置部分との厚さを示す断面図である。
【図５】本発明の実施の形態２に係る照明装置の要部構成を示す断面図である。
【図６】本発明の実施の形態３に係る照明装置の要部構成を示す断面図である。
【図７】本発明の実施の形態４に係る照明装置の要部構成を示す断面図である。
【図８】本発明の実施の形態５に係る照明装置の要部構成を示す断面図である。
【図９】図８の照明装置を壁面に設置した状態を示す断面図である。
【図１０】本発明の実施の形態６に係る表示装置を示す斜視図である。
【図１１】図１０の表示装置を壁面に設置した状態を示す断面図である。
【図１２】特許文献１に記載の壁掛け型表示装置の断面図である。
【図１３】特許文献１に記載の別の壁掛け型表示装置の断面図である。
【発明を実施するための形態】
【００１３】
以下、本発明の実施の形態について、図１〜図１１に基づいて詳細に説明する。なお、以下では、便宜上、本発明の一態様の照明装置または表示装置における壁面等への設置側を「背面」または「後方」、光出射側を「前面」または「前方」として説明する。
【００１４】
〔実施の形態１〕
（照明装置１０の全体構成）
図１は、実施の形態１に係る照明装置１０の構成を示す分解斜視図である。照明装置１０は、筐体１、反射シート２、光源ユニット３、導光板４、およびベゼル５を備えている。具体的には、筐体１は、照明装置１０の最も背面側に配置されている。筐体１の前面１ａ上には、反射シート２および導光板４がこの順に積層されている。筐体１の対向する側面部（内側面）１ｃには、光源ユニット３が設けられている。光源ユニット３は、導光板４の端面（入射面）４ａと対向して設けられる。ベゼル５は、導光板４の出射面４ｂの外縁部および筐体１の側面部１ｃを覆っている。これにより、筐体１に保持された反射シート２、光源ユニット３、導光板４が、筐体１とベゼル５とにより挟持される。
【００１５】
照明装置１０は、光源ユニット３から出射された光が、導光板４の端面４ａに入射し、その光が導光板４の内部を導光し、出射面４ｂから取出されて出射される。すなわち、照明装置１０は、光源ユニット３から端面４ａに入射された光を出射面４ｂから面状に出射させるサイドエッジ（サイドライトまたはエッジライトともいう）型の導光板４を備えた照明装置１０となっている。つまり、照明装置１０は、液晶表示装置のバックライトと略同様の構成となっている。
【００１６】
なお、照明装置１０では、導光板４は、矩形の平板状である。反射シート２も導光板４と略同じ形状を有しているが、導光板４よりもややサイズが大きい。また、筐体１の背面には、後述するように、照明装置１０を壁面等の設置部に設置するための取付部材として壁掛け金具が設けられている。
【００１７】
次に、図２に基づき、照明装置１０の各部について説明する。図２は、図１の照明装置１０の要部構成を示す断面図である。なお、図２では図１のベゼル５を省略している。
【００１８】
（筐体１）
筐体１は、反射シート２、光源ユニット３、および導光板を保持する。筐体１は、例ええば鉄やアルミニウム等の熱伝導率の高い金属から形成されていることが好ましい。これにより、照明装置１０の放熱効果および強度を高めることができる。つまり、筐体１は、ヒートシンクとしても機能する。また、筐体１をアルミニウムから形成すれば、筐体１の加工が容易になる。なお、筐体１は、熱伝導率の高い樹脂から形成してもよい。
【００１９】
（光源ユニット３）
光源ユニット３は、照明装置１０における光源である。照明装置１０では、光源ユニット３は、光源部３１と、光源部３１が実装される光源基板３２とから構成されており、光源基板３２が筐体１の側面部１ｃに固定されている。
【００２０】
光源部３１は、導光板４の端面４ａと離間して設けられており、導光板４の端面４ａに出射光を結合させる。光源部３１の種類は特に限定されるものではない。本実施形態では、光源部３１は、複数のＬＥＤ（Light Emitting Diode：発光ダイオード）からなっている。これにより、光源部３１から一方向に光を出射することができる。つまり、光源部３１から出射した光を、導光板４の端面４ａに効率よく入射させることができる。その結果、導光板４への光結合効率を高めることが可能となる。また、ＬＥＤの光出射幅は、導光板４の厚みより小さくすることが好ましい。これにより、導光板４への光結合効率をさらに高めることができる。光源部３１の光出射面と導光板４の端面（光結合面）４ａとのクリアランスは、導光板４の熱膨張や組立公差を踏まえたうえでできるだけ小さくすればよい。これにより、導光板４に光を効率よく結合させることができる。
【００２１】
また、ＬＥＤが実装された光源基板（ＬＥＤ基板）３２が筐体１に配置されるため、ＬＥＤから発生した熱を、光源基板３２を介して筐体１に効率よく伝達することが可能となる。従って、放熱性に優れた照明装置１０を提供することができる。なお、光源基板３２は、直接筐体１に配する必要があるわけではなく、例えば、光源基板３２をヒートシンクに固定した上で、そのヒートシンクを筐体１に配置する構造であっても構わない。また、光源基板３２と筐体１の側面部１ｃとの間には、粘着性を有する熱伝導シートが設けられていてもよい。これにより、光源部３１から発生した熱が、熱伝導シートを介して、効率よく筐体１に伝達するようになる。従って、照明装置１０の放熱性を高めることができる。
【００２２】
なお、光源部３１は、ＬＥＤに限定されるものではなく、例えば、有機ＥＬまたは蛍光管等の各種発光素子であってもよい。
【００２３】
（導光板４）
導光板４は、光源ユニット３から出射された光が端面（入射面）４ａから入射し、入射した光を内部に導光させて出射面４ｂから出射させる。すなわち、導光板４は、端面４ａにて光源ユニット３（光源部３１）から出射される光を受光し、受光した光を出射面４ｂと裏面との間、および、導光方向と平行方向の両側面の間において全反射させつつ導光板４の内部で伝播させると共に、主に出射面４ｂから出射させる。導光板４は、光透過性の高い透明材料からなり、例えば、ＰＭＭＡ（ポリメタクリル酸メチル：アクリル樹脂の一種）、ＰＣ（ポリカーボネート）、および、ＰＳ（ポリスチレン）等からなっている。
【００２４】
本実施形態では、導光板４は板状で出射面４ｂが四角形状となっている。ただし、導光板４の形状はこれに限定されるものではなく、例えば、導光板４の出射面４ｂの形状が三角形又は五角形等の多角形を採用してもよい。
【００２５】
導光板４の裏面（反射シート２側の面）には、図示しない複数の光取出しパターンが形成されている。これにより、導光板４内を伝播する光を出射面４ｂから出射させることができる。また、光取出しパターンを導光板４の裏面に形成した場合、出射面４ｂまでの距離が導光板４の厚さと等しくなる。このため、光取出しパターン間の距離に起因する輝度ムラを、出射面４ｂから出射させるまでの間に低減することができる。従って、輝度ムラの少ない照明装置１０を実現することができる。
【００２６】
導光板４の出射面４ｂには、拡散シート等の各種光学シートが設けられていてもよい。
【００２７】
（反射シート２）
反射シート２は、導光板４の裏面（出射面４ｂとは反対側の面）と筐体１との間に配置されている。反射シート２は、少なくとも導光板４の裏面を覆っていればよく、図２では、光源ユニット３にまで跨って設けられている。反射シート２は、導光板４の裏面（背面）から導光板４外へ出射される光を反射して再び導光板４に入射させる。さらに、光源ユニット３から出射された光、および、導光板４に入射せずに端面４ａで反射された光を反射して、端面４ａに入射させる。
【００２８】
照明装置１０において反射シート２は必ず必要となるわけではないが、反射シート２を用いることによって筐体１側に吸収されていた光、および、端面４ａで反射された光を有効に利用できる。これにより、出射面４ｂから出射される光量を増やすことができる。従って、照明装置１０の輝度を向上させることができる。
【００２９】
なお、反射シート２は、その大部分が筐体１の前面１ａに当接しているが、光源ユニット３付近（反射シート２の端部）は、筐体１の前面１ａに当接していない。反射シート２は、例えば、発泡ＰＥＴ（Polyethylene Terephthalate）等に代表されるポリエステルから形成されており、光の反射特性を有している。
【００３０】
（壁掛け金具６）
壁掛け金具６は、筐体１の背面１ｂに、少なくとも１つ、好ましくは複数個設けられおり、照明装置１０を外部の設置部に取付ける取付部材である。
【００３１】
具体的には、壁掛け金具６は、筐体１の背面１ｂから突出した胴部６ａと、胴部６ａの先端部（背面１ｂとは逆側の端部）に形成された頭部６ｂとを有している。頭部６ｂは、壁掛け金具６が筐体１に固定される側とは反対側に位置している。
【００３２】
ここで、壁掛け金具６は、頭部６ｂにおける筐体１の背面１ｂと平行な方向の断面積は、胴部６ａにおける同方向の断面積よりも大きくなっているという特徴的構成を有している。すなわち、筐体１の背面１ｂから胴部６ａが突出する方向に対して垂直方向の幅が、胴部６ａよりも頭部６ｂの方が広くなっている（頭部の幅Ｘ＞胴部の幅Ｙ）。言い換えれば、頭部６ｂの外径が、胴部６ａの外径よりも大きくなっている。このように、壁掛け金具６は、胴部６ａと頭部６ｂとからなるフランジ形状であり、極めて簡素な構成である。
【００３３】
なお、胴部６ａは、壁掛け金具６における筐体１に固定される側のくびれた部分であり、頭部６ｂは、壁掛け金具６における筐体１に固定される側と反対側の膨らんだ部分であるともいえる。
【００３４】
（照明装置１０の設置）
次に、壁掛け金具６を用いた照明装置１０の壁面への設置方法について説明する。図３は、図１の照明装置１０を壁面９に設置する方法を示す斜視図である。図３では、照明装置１０を縦向き（縦長）に設置する方法を示しているが、横向き（横長）に設置する場合も同様である。
【００３５】
図３に示すように、照明装置１０の背面には、４つの壁掛け金具６が正方形の頂点に配置されている。一方、設置部としての壁面９には、各壁掛け金具６に対応する壁側取付金具９１が設けられている。
【００３６】
壁側取付金具９１は、正面視（壁面９と対向する方向からみると）Ｕ字状（凹状）であり、側面視するとＬ字状の金具である。壁側取付金具９１には、上述した壁掛け金具６の頭部６ｂが係止されるようになっている。これにより、照明装置１０の壁掛け金具６を、壁側取付金具９１の上方から下方に降ろすと、壁掛け金具６の頭部６ｂが壁側取付金具９１に係止される。その結果、照明装置１０を壁面９に設置することができる。
【００３７】
一方、照明装置１０を壁面９から取り外すときは、壁掛け金具６を、壁側取付金具９１の上方に持ち上げる。これにより、壁掛け金具６の頭部６ｂが壁側取付金具９１に係止された状態が解除される。その結果、照明装置１０を壁面９から取り外すことができる。
【００３８】
このように、照明装置１０では、照明装置１０を壁面９に設置するための壁掛け金具６が、筐体１の背面１ｂから突出した胴部６ａと、胴部６ａの先端部に形成された頭部６ｂとを有する構成である。従って、壁掛け金具６の構成を簡素化することができる。その結果、壁掛け金具６の低コスト化、ひいては照明装置１０の低コスト化を実現することができる。さらに、壁側取付金具９１の形状も簡素化することができる。
【００３９】
しかも、壁掛け金具６の頭部６ｂを、壁面９の壁側取付金具９１に係止させることによって、照明装置１０を壁面９に取付けることができる。このため、壁掛け金具６を壁側取付金具９１にネジなどで固定する必要はない。従って、壁面９への照明装置１０の取付および取り外しが容易である。
【００４０】
このように、簡素な構成の壁掛け金具６によって、壁面９等の設置部に対して容易に着脱することのできる照明装置１０を提供することができる。
【００４１】
（照明装置１０の厚さ）
図４は、図１の照明装置１０において、光源ユニット３の設置部分と、壁掛け金具６の設置部分との厚さを示す断面図である。
【００４２】
上述のように、本実施形態の照明装置１０は、複数のＬＥＤから構成された光源部３１が光源基板３２に搭載され光源ユニット３を備えている。このため、筐体１の前面１ａの光源ユニット３を設置する部分（側面部１ｃ）が、凸形状に絞られているか、もしくは曲げ加工が施されている。これにより、筐体１に光源ユニット３を設置するためのスペースが確保される。このように、照明装置１０では、筐体１の側面部１ｃの厚さＡがその他の部分よりも厚くなる。従って、エッジライト型の照明装置１０では、厚さＡが筐体１の厚さの最大値となる。
【００４３】
そこで、壁掛け金具６の頭部６ｂ表面から導光板４の出射面４ｂまでの距離Ｂは、光源ユニット３が保持された部分の筐体１の厚さ（筐体１の側面部１ｃの厚さＡ）以下であることが好ましく、図４のように距離Ｂは厚さＡ未満となっていることがより好ましい。すなわち、壁掛け金具６の頭部６ｂの表面（先端面）６ｂ’は、筐体１の最も厚い部分における背面１ｂ’よりも、導光板４側に配置されていることがより好ましい。
【００４４】
これにより、距離Ｂは、厚さＡと同等または厚さＡよりも小さくなる。つまり、取付部材の頭部の表面は、光源ユニット３が設置された部分における筐体の背面よりも、導光板側に配置される。このため、筐体１の厚さ（照明装置１０の厚さ）は、厚さＡ以上にはならない。従って、薄型の照明装置１０を実現することができる。
【００４５】
〔実施の形態２〕
本発明の他の実施形態について図５に基づいて説明すれば、以下のとおりである。図５は、本発明の実施の形態２に係る照明装置１０ａの要部構成を示す断面図である。なお、説明の便宜上、前記実施形態にて説明した図面と同じ機能を有する部材については、同じ符号を付記し、その説明を省略する。また、以下では、照明装置１０との相違点を中心に説明する。
【００４６】
図５に示すように、照明装置１０ａは、壁掛け金具６を筐体１の前面１ａから背面１ｂに貫通し、壁掛け金具６を筐体１の背面に固定する固定部材として締結ネジ（ビス）７を備えている。
【００４７】
照明装置１０ａのように締結ネジ７を備える場合、締結ネジ７が反射シート２および導光板４に接触すると、反射シート２および導光板４を圧迫する可能性がある。その結果、反射シート２および導光板４の圧迫された部分で、歪が生じ、輝度ムラの発生原因となる。特に、反射シート２は薄いため、硬い締結ネジ７の先端（頭部）で圧迫されると、歪みが大きくなる。
【００４８】
そこで、照明装置１０ａでは、締結ネジ７と反射シート２および導光板４との接触を回避するために、筐体１の前面１ａに、筐体１の背面１ｂ側（導光板４とは逆）に凹んだ凹部１ｄが形成されている。凹部１ｄの深さは、筐体１の前面１ａから露出した締結ネジ７の頭部の長さより大きくなっている。そして、締結ネジ７が凹部１ｄ内に設けられ筐体１を貫通している。つまり、凹部１ｄは、締結ネジ７のネジ頭を格納するスペースとなっている。
【００４９】
このように、照明装置１０ａでは、筐体１の前面１ａに凹部１ｄが形成されているため、締結ネジ７が、筐体１の前面に設けられる反射シート２および導光板４に接触しない。つまり、締結ネジ７と、反射シート２および導光板４とが干渉しない。その結果、反射シート２および導光板４に歪みが生じるのを回避することができる。従って、照明装置１０ａの輝度ムラの発生を防ぐことができる。
【００５０】
つまり、照明装置１０ａでは、壁掛け用金具６は筐体１を挟んで反射シート２側から締結され、筐体１の壁掛け用金具６の締結部に、締結する締結ネジ７のネジ頭の高さより深い絞り（凹部１ｄ）を設けることにより、締結ネジ７と、反射シート２および導光板４との干渉を防ぐことができる。
【００５１】
また、照明装置１０ａでは、凹部１ｄおよび光源ユニット３が設置された部分以外では、反射シート２が筐体１に接している。つまり、反射シート２の大部分を筐体１と導光板４とで挟み込むことができる。従って、反射シート２のたわみにより生じる輝度ムラを抑制することが可能となる。
【００５２】
〔実施の形態３〕
本発明の他の実施形態について図６に基づいて説明すれば、以下のとおりである。図６は、本発明の実施の形態３に係る照明装置１０ｂの要部構成を示す断面図である。なお、説明の便宜上、前記実施形態にて説明した図面と同じ機能を有する部材については、同じ符号を付記し、その説明を省略する。また、以下では、照明装置１０ａとの相違点を中心に説明する。
【００５３】
図５の照明装置１０ａでは、締結ネジ７が、筐体１自体を凹ませて形成された凹部１ｄ内に設けられていた。
【００５４】
これに対し、図６の照明装置１０ｂでも、照明装置１０ａと同様に、壁掛け金具６を筐体１の前面１ａから背面１ｂに貫通し、壁掛け金具６を筐体１の背面に固定する固定部材として締結ネジ７を備えている。さらに、照明装置１０ｂは、筐体１の前面１ａにおける締結ネジ７の周囲に設けられたスペーサ８を備えている。スペーサ８は、筐体１の前面１ａと反射シート２との間に設けられている。しかも、スペーサ８の厚さは、筐体１の前面１ａ側における締結ネジ７の厚さよりも大きくなっている。
【００５５】
このように、照明装置１０ｂでは、スペーサ８が設けられているため、締結ネジ７が、筐体１の前面に設けられる反射シート２および導光板４に接触しない。つまり、締結ネジ７と、反射シート２および導光板４とが干渉しない。その結果、反射シート２および導光板４に歪みが生じるのを回避することができる。従って、照明装置１０ｂの輝度ムラの発生を防ぐことができる。
【００５６】
なお、スペーサ８も、若干反射シート２および導光板４を圧迫するものの、スペーサ８がない場合に比べれば、その圧迫は抑制される。反射シート２および導光板４の圧迫をさらに抑制するためには、スペーサ８はある程度の弾性を有することが好ましい。これにより、反射シート２および導光板４の圧迫による照明装置１０ｂの輝度むらをより軽減できる。
【００５７】
また、照明装置１０ｂでは、壁掛け用金具６は筐体１を挟んで反射シート２側から締結されている。そして、筐体１と反射シート２との間に、壁掛け用金具６を締結する締結ネジ７のネジ頭の高さよりも厚いスペーサ８が設けられている。従って、照明装置１０ｂは、照明装置１０ａのような絞り加工で凹部１ｄを形成しなくても反射シート２および導光板４と締結ネジ７との干渉を防ぐことができる。
【００５８】
〔実施の形態４〕
本発明の他の実施形態について図７に基づいて説明すれば、以下のとおりである。図７は、本発明の実施の形態４に係る照明装置１０ｃの要部構成を示す断面図である。なお、説明の便宜上、前記実施形態にて説明した図面と同じ機能を有する部材については、同じ符号を付記し、その説明を省略する。また、以下では、照明装置１０ａとの相違点を中心に説明する。
【００５９】
図７の照明装置１０ｃは、図５の照明装置１０ａの凹部１ｄにスペーサ８ａを設けた構成である。スペーサ８ａの厚さは、凹部１ｄの深さとほぼ同一である。つまり、スペーサ８ａの厚さは、筐体１の前面１ａから露出した締結ネジ７の頭部の長さより大きくなっている。
【００６０】
照明装置１０ｃでも、筐体１の前面１ａに凹部１ｄが形成されているため、締結ネジ７が、筐体１の前面に設けられる反射シート２および導光板４に接触しない。つまり、締結ネジ７と、反射シート２および導光板４とが干渉しない。その結果、反射シート２および導光板４に歪みが生じるのを回避することができる。従って、照明装置１０ｃの輝度ムラの発生を防ぐことができる。
【００６１】
さらに、照明装置１０ｃでは、壁掛け用金具６は筐体１を挟んで反射シート２側から締結されている。そして、筐体１に形成された凹部１ｄは、壁掛け用金具６を締結するための締結部に、締結する締結ネジ７のネジ頭の高さよりも深い絞りであるといえる。しかも、照明装置１０ｃでは、絞り部である凹部１ｄに、凹部１ｄの深さと同じ厚さのスペーサ８ａが反射シート２との間に設けられている。これにより、凹部１ｄ内で生じる反射シート２のたわみを防止することができる。従って、反射シート２のたわみで生じる照明装置１０ｃの輝度ムラの発生を抑えることが可能となる。それゆえ、光学的に高品位な照明装置１０ｃを提供することが可能となる。
【００６２】
〔実施の形態５〕
本発明の他の実施形態について図８および図９に基づいて説明すれば、以下のとおりである。図８は、本発明の実施の形態５に係る照明装置１０ｄの要部構成を示す断面図である。図９は、図８の照明装置１０ｄを壁面に設置した状態を示す断面図である。なお、説明の便宜上、前記実施形態にて説明した図面と同じ機能を有する部材については、同じ符号を付記し、その説明を省略する。また、以下では、照明装置１０ａとの相違点を中心に説明する。
【００６３】
図８および図９に示すように、照明装置１０ｄでは壁掛け用金具６の中央部に、厚さ方向に沿って空洞（欠落した部分）６ｃが形成されている。これにより、壁掛け用金具６は、中心部に空洞６ｃを有するリング状になる。従って、たとえ頭部６ｂのサイズが大きくなったとしても、頑健性に優れ、軽量な照明装置１０ｄとすることができる。それゆえ、照明装置１０ｄのサイズが大きい場合も、壁掛け用金具６のサイズが大きい場合も、軽量化されるため、照明装置１０の着脱を簡便に実施することができる。
【００６４】
さらに、照明装置１０ｄでは、壁掛け用金具６に空洞６ｃが形成されており、壁掛け用金具６が同心円形状になっている。つまり、壁掛け用金具６は、空洞６ｃに対して対称な形状となっている。これにより、照明装置１０ｄを９０°回転させた状態で壁面９の壁側取付金具９１に設置した場合も、同じような状態で照明装置１０ｄを壁面９に設置することができる。すなわち、照明装置１０ｄを縦長または横長のどちらの用途にも利用することが可能である。
【００６５】
また、壁掛け用金具６が同心円形状にすることにより、壁掛け用金具６の頭部６ｂを壁側取付金具９１に係止させる作業の際に、係止動作の侵入角度が多少曲がっていても引っかけることができる。それゆえ、照明装置１０ｄの設置作業が容易になる。
【００６６】
さらに、照明装置１０ｄでは、光源ユニット３付近における、反射シート２と筐体１との間に、スペーサ８ｂが配置されている。これにより、光源ユニット３近傍での反射シート２のたわみを防止することができる。従って、反射シート２の撓みによって導光板４への光結合量の違いが生じることに起因する輝度ムラの発生を低減することができる。
【００６７】
また、図９に示すように、照明装置１０ｄは、導光板４の出射面４ｂに拡散板４１を備えている。拡散板４１は、出射面４ｂを覆っており、導光板４の出射面から出射された光（導光板４から取出された光）を拡散させる。これにより、輝度ムラの少ない光均一性に優れた照明装置１０ｄとすることができる。拡散板４１は、ベゼル５により、導光板４と反射シート２を介して筐体１との間で挟み込むように保持されている。
【００６８】
〔実施の形態６〕
本発明の他の実施形態について図１０および図１１に基づいて説明すれば、以下のとおりである。図１０は、本発明の実施の形態６に係る表示装置２０を示す斜視図である。図９は、図１１の表示装置２０を壁面に設置した状態を示す断面図である。なお、説明の便宜上、前記実施形態にて説明した図面と同じ機能を有する部材については、同じ符号を付記し、その説明を省略する。
【００６９】
図１０に示すように、表示装置２０は、実施の形態５の照明装置１０ｄと、表示部としての画像印刷フィルム２１と、保護カバー２２と、保護カバー用ベゼル２３とを備えている。
【００７０】
画像印刷フィルム２１は、照明装置１０ｄの出射面４ｂ側に配置されている。画像印刷フィルム２１は、ポスターまたは広告であり、絵や文字などが描かれている。保護カバー２２は、画像印刷フィルム２１を覆っており、画像印刷フィルム２１を保護する。
【００７１】
図１１に示すように画像印刷フィルム２１は、保護カバー２２と拡散板４１とに挟持される。保護カバー２２は、保護カバー用ベゼル２３により、画像印刷フィルム２１を介して拡散板４１との間で挟み込むように保持されている。このように、表示装置２０は、照明装置１０ｄを利用した画像表示装置である。
【００７２】
上述のように、壁掛け金具６は簡単な構造であるため、壁面９の壁側取付金具９１も単純化な構造でよいため、壁面９への配置の自由度が高い。また、表示装置２０を壁面９に固定したまま画像印刷フィルム２１を交換することが可能である。また、画像印刷フィルム２１や保護カバー２２を取付けたままで、表示装置２０を壁面からの取り外すことも可能である。従って、表示装置２０は、掲示期間が過ぎたときに、画像印刷フィルム２１を交換したり、別の表示装置２０に付け替えたりする必要のある用途に好適である。また、着脱を頻繁に行い、取付配置にも自由度を持たせる必要がある用途にも好適である。例えば、表示装置２０は、特に看板用途に適している。これにより、壁掛け金具６および壁側取付金具９１の構造が単純かつ小型化でき、表示装置２０の低コスト化や薄型化を実現することができる。
【００７３】
また、図１０に示すように、照明装置１０ｄでは、壁掛け金具６が、互いに直交する２つの方向に格子状に配置されており、２つの方向における、壁掛け金具６の間隔が同一である。具体的には、図１０では、４つの壁掛け金具６が、正方形の頂点に配置されるように、縦横に等ピッチで設けられている。また、この場合、壁面９側にも壁側取付金具９１も同形状に配置されている。つまり、壁掛け金具６は、最も単純な２×２の正方形の頂点の４箇所の配置であり、対応する壁側取付金具９１も２×２の正方形の頂点の４箇所の配置となっている。これにより、照明装置１０ｄを９０°回転させた状態で壁面９の壁側取付金具９１に設置した場合も、同じような状態で照明装置１０ｄを壁面９に設置することができる。すなわち、照明装置１０ｄを縦長または横長のどちらの用途にも利用することが可能である。
【００７４】
このように、壁掛け金具６および壁側取付金具９１を等間隔の格子状の配置とすることにより、照明装置１０ｄの設置する方向が縦長であっても横長であっても、壁側取付金具９１を取り外したり付け替えたりすることなく、照明装置１０ｄ取付けることが可能となる。また照明装置１０ｄ方向を簡便に変更することができる。さらに、照明装置１０ｄを回転させて壁掛けする場合であっても、壁側取付金具９１を一部または全部共通で使用することができる。つまり、壁側取付金具９１がｍ×ｎのマトリックス状配置（ｍ，ｎは２以上の整数）であり、行と列のピッチを同じにする。この場合に、ｍとｎが異なっていても、一部の壁側取付金具９１が縦長および横長配置に共通で使用可能となる。
【００７５】
〔まとめ〕
本発明の一態様に係る照明装置は、光源（光源ユニット３）と、光源から出射された光が入射し、入射した光を内部に導光させて出射する導光板と、上記導光板を保持するための筐体とを備えた照明装置であって、上記筐体の背面に、上記照明装置を外部の設置部（壁面９）に取付けるための取付部材（壁掛け金具６）が設けられており、上記取付部材は、上記筐体の背面から突出した胴部と、上記胴部の先端部に形成され、上記設置部に係止される頭部とを有し、上記頭部における上記筐体の背面と平行な方向の断面積が、上記胴部における同方向の断面積よりも大きいことを特徴としている。
【００７６】
上記の構成によれば、照明装置を外部に設置するための取付部材が、筐体の背面から突出した胴部と、胴部の先端部に形成された頭部とを有する構成である。従って、取付部材の構成を簡素化することができる。その結果、取付部材の低コスト化、ひいては照明装置の低コスト化を実現することができる。
【００７７】
しかも、上記の構成によれば、取付部材の頭部を、壁面等の外部の設置部に係止させることによって、照明装置を設置部に取付けることができる。このため、取付部材を設置部にネジなどで固定する必要はない。従って、設置部への照明装置の取付および取り外しが容易である。
【００７８】
従って、簡素な構成でありながら、壁面等の設置部に対して着脱が容易な照明装置を提供することができる。
【００７９】
本発明の一態様に係る照明装置は、上記取付部材を上記筐体の前面から背面に貫通し、上記取付部材を上記筐体の背面に固定する固定部材（締結ネジ７）と、上記筐体の前面における上記固定部材の周囲に設けられたスペーサとを備え、上記スペーサの厚さは、上記筐体の前面側における固定部材の厚さよりも大きくなっている。
【００８０】
上記の構成によれば、スペーサが設けられているため、固定部材が、筐体の前面に設けられる導光板等に接触しない。つまり、固定部材と、導光板とが干渉しない。その結果、固定部材によって導光板に歪みが生じるのを回避することができる。従って、照明装置の輝度ムラの発生を防ぐことができる。
【００８１】
本発明の一態様に係る照明装置は、上記取付部材を上記筐体の前面から背面に貫通し、上記取付部材を上記筐体の背面に固定する固定部材を備え、上記筐体の前面に、上記筐体の背面側に凹んだ凹部が形成されており、上記固定部材は、上記凹部内に設けられ、筐体を貫通している。
【００８２】
上記の構成によれば、筐体の前面に凹部が形成されているため、固定部材が、筐体の前面に設けられる導光板等に接触しない。つまり、固定部材と、導光板とが干渉しない。その結果、固定部材によって導光板に歪みが生じるのを回避することができる。従って、照明装置の輝度ムラの発生を防ぐことができる。
【００８３】
本発明の一態様に係る照明装置は、上記取付部材が、同心円形状である。
【００８４】
上記の構成によれば、取付部材は、例えば、中心部に空洞を有するリング状になる。従って、たとえ取付部材の頭部のサイズが大きくなったとしても、頑健性に優れ、軽量な照明装置とすることができる。それゆえ、照明装置のサイズが大きい場合も、取付部材のサイズが大きい場合も、軽量化されるため、照明装置の着脱を簡便に実施することができる。
【００８５】
さらに、上記の構成によれば、取付部材は、上記空洞に対して対称な形状となっている。これにより、照明装置を９０°回転させた状態で設置した場合も、同じような状態で照明装置を壁面等に設置することができる。すなわち、照明装置を縦長または横長のどちらの用途にも利用することが可能である。
【００８６】
本発明の一態様に係る照明装置は、上記取付部材が、互いに直交する２つの方向に格子状に配置されており、上記２つの方向における、取付部材の間隔が同一である。
【００８７】
上記の構成によれば、取付部材が、互いに直交する２つの方向に格子状に配置され、かつ、等ピッチで配置されている。これにより、照明装置を９０°回転させた状態で設置した場合も、同じような状態で照明装置を壁面等の設置部に設置することができる。すなわち、照明装置を縦長または横長のどちらの用途にも利用することが可能である。
【００８８】
本発明の一態様に係る照明装置では、上記光源が、上記筐体に保持されており、上記取付部材の頭部表面から導光板の出射面までの距離が、上記光源が保持された部分の筐体の厚さ以下である。
【００８９】
これにより、取付部材の頭部表面から導光板の出射面までの距離は、光源が保持された部分の筐体の厚さと同等またはその厚さよりも小さくなる。つまり、取付部材の頭部の表面は、光源が設置された部分における筐体の背面よりも、導光板側に配置される。このため、筐体の厚さ（照明装置の厚さ）は、光源が保持された部分の筐体の厚さ以上にはならない。従って、薄型の照明装置を実現することができる。
【００９０】
本発明の一態様に係る表示装置は、前記いずれかの照明装置と、上記照明装置の光出射側に配置された表示部（画像印刷フィルム２１）とを備えている。
【００９１】
従って、簡素な構成でありながら、壁面等の設置部に対して着脱が容易な照明装置を備えた表示装置を提供することができる。
【００９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９３】
本発明の照明装置は、電子機器や照明の平面光源として利用することができ、特に広告看板等のような画像表示装置に好適に利用することができる。
【符号の説明】
【００９４】
１    筐体
１ａ  前面
１ｂ  背面
１ｂ’背面
１ｄ  凹部
３    光源ユニット（光源）
３１    光源部（光源）
４    導光板
４ａ  端面
４ｂ  出射面
６    壁掛け金具（取付部材）
６ａ  胴部
６ｂ  頭部
６ｂ’表面（頭部表面）
７    締結ネジ（固定部材）
８    スペーサ
８ａ  スペーサ
８ｂ  スペーサ
９    壁面（設置部）
１０    照明装置
１０ａ  照明装置
１０ｂ  照明装置
１０ｃ  照明装置
１０ｄ  照明装置
２０    表示装置
２１    画像印刷フィルム（表示部）
【図１】
2014063571.tif 000003
【図２】
2014063571.tif 000004
【図３】
2014063571.tif 000005
【図４】
2014063571.tif 000006
【図５】
2014063571.tif 000007
【図６】
2014063571.tif 000008
【図７】
2014063571.tif 000009
【図８】
2014063571.tif 000010
【図９】
2014063571.tif 000011
【図１０】
2014063571.tif 000012
【図１１】
2014063571.tif 000013
【図１２】
2014063571.tif 000014
【図１３】
2014063571.tif 000015